(57)【要約】【課題】配電盤ボックスなどの観音扉を決められた順序で閉鎖するのに適し、ユニット化されていてボックスへの取り付けが容易な観音扉閉鎖順序保障装置を提供すること。【解決手段】保障装置１０は、ボックス１内に固定された取付金具１１に旋回可能に支持され、各扉体４ａ，４ｂの内面に直交する方向に対して斜めに延びる第１ロッド１４と直交する方向へ延びる第２ロッド１５とを備え、各ロッドの先端部１４ａ，１５ａは各扉体４ａ，４ｂの閉鎖時その内面に当接可能である。先に閉鎖される扉体４ａが第１ロッド１４に当接すると、該ロッド１４が旋回し、両ロッドをつなぐ支持軸部１３ａにより第２ロッド１５が旋回してボックス１内へ移動し、後の扉体４ｂの閉鎖を保障する。扉体４ａに先立って扉体４ｂが閉じられて第２ロッド１５に当接しても、第２ロッド１５の旋回は起こらず、ボックス１内へ移動しないので、扉体４ｂの閉鎖が阻止される。【選択図】      図２
2004176496.tif 000002
【特許請求の範囲】
【請求項１】
固定枠体で形成された開口部を開閉する一対の第１，２扉体からなる観音扉を決められた順序で閉鎖する観音扉閉鎖順序保障装置において、
前記保障装置が、前記第１扉体の内面に当接可能であって前記固定枠体内から前記開口部の外へ突出可能な第１先端部を有し、前記第１扉体の前記内面が前記第１先端部に当接したときに前記固定枠体内へ移動可能な第１ロッドと、前記第２扉体の内面に当接可能であって前記固定枠体内から前記開口部の外へ突出可能な第２先端部を有し、前記固定枠体内へ移動可能ではあるが、前記第２扉体の前記内面が前記第２端部に当接しても前記固定枠体内へ移動することのない第２ロッドと、前記第１ロッドと前記第２ロッドとの間に介在しており、前記第１ロッドの前記固定枠体内への移動に連動して前記第２ロッドを前記固定枠体内への移動を可能にする作動部と、前記固定枠体に取り付け可能に形成され、前記第１，２ロッドおよび前記作動部を支持する取付金具とを備えていることを特徴とする観音扉閉鎖順序保障装置。
【請求項２】
前記第１ロッドが、前記取付金具から前記第１扉体の前記内面に直交する方向に対して斜めに延び、前記第２ロッドが、前記取付金具から前記第２扉体の前記内面に対して直交する方向へ延び、前記作動部が、前記第１，２ロッドにおいて前記第１，２先端部とは反対側の端部どうしをつなぎ、前記取付金具に回転可能に支持された支持軸部から構成され、
前記支持軸部は、前記第１扉体の前記内面が前記第１ロッドの前記第１先端部に当接したとき、前記支持軸部を中心として該第１ロッドを旋回させるとともに、前記第２ロッドを前記第２扉体の前記内面に直交する方向から該直交方向に対して斜め方向へ延びる位置に旋回させて前記第２扉体の閉鎖を可能とし、
前記第１，２ロッドおよび前記支持軸部の少なくともいずれかは、前記第２ロッドを前記第２扉体の前記内面に対して直交する方向へ延びる元の位置に復帰させるようにバネ付勢されている請求項１に記載の観音扉閉鎖順序保障装置。
【請求項３】
前記第１，２ロッドが、前記固定枠体内へ出入り可能に支持され、前記作動部が、前記第１ロッドに連動して旋回可能に前記取付金具に取り付けられ、前記第２ロッドと係合離脱して前記第２ロッドを移動又は不動にするカム板から構成され、
前記カム板は、前記第１扉体の前記内面が前記第１ロッドに当接して前記固定枠体内へ押し込まれるときに旋回して、前記第２ロッドと離脱して前記第２ロッドを移動可能にして前記第２扉体の閉鎖を可能とし、
前記第１，２ロッドは、前記両ロッドの前記各先端部を前記開口部から前記固定枠体の外へ突出させる方向へバネ付勢されている請求項１に記載の観音扉閉鎖順序保障装置。
【発明の詳細な説明】
【０００１】
【発明の属する技術分野】
本発明は観音扉閉鎖順序保障装置に関し、詳細には、例えば、配電盤ボックスの開口部を開閉する観音扉を、決められた順序で閉鎖し得るようにする観音扉閉鎖順序保障装置に関する。
【０００２】
【従来の技術】
例えば、配電盤ボックスなどには、その開口部を開閉する観音扉の閉鎖順序を決めているものがある。配電盤ボックスにおいて、観音扉の閉鎖順序を決める必要は、例えば、観音扉が全閉されたときに電源スイッチが自動的に入るようにする場合にある。すなわち、観音扉は２つの扉体で構成されているため、全閉されたときにこれを検出して電源スイッチを動作させるには、一つの方法として、最後に閉める扉体を決めておき、この扉体が閉まったことを検出して電源スイッチを動作させるか、若しくはこの扉体が閉鎖されたときに該扉体で電源スイッチを直接動作させればよい。
【０００３】
そのため、この種の配電盤ボックスには、観音扉を構成する２つの扉体の閉鎖順序を決める（保障する）装置が取り付けられている（例えば、特許文献１参照。）。特許文献１に開示されている装置は、中間部をヒンジで折曲させて両端を上下動可能に軸受部と支点軸とによって支持板に旋回可能に取り付けられたてこロッドを備え、このてこロッドの一端にウエイトを兼ねた阻止板を設け、先に閉鎖される一方の扉体によりてこロッドの他端に旋回力を作用させて一端側のウエイトを移動させ、後から閉鎖される他方の扉体に取り付けたストッパー付ブラケットとの当接を避けるように構成されていた。
【０００４】
【特許文献１】
実開平６−４７５５３号公報
【０００５】
【発明が解決しようとする課題】
特許文献１に開示された装置では、てこロッドが、観音扉における２つの旋回軸線間に延びる方向に取り付けた支持板を用いて、ボックス内に納められている。そのため、後から閉鎖される一方の扉体には、てこロッドの一端に設けられたウエイト兼阻止板に当接するストッパー付ブラケットがボックス内に進入可能に扉体の内面から突出して取り付けられ、さらに、先に閉鎖される他方の扉体が正しい順序で閉められたとき、てこロッドの一端を押し上げて他端のウエイトを回避位置へ上昇させる部材も他方の扉体内面に、ボックス内に進入可能に該内面から突出して設けられて構成されている。したがって、従来の装置は、構造が複雑で、しかもボックスに個別に取り付けなければならない部品が多く、設置が非常に面倒である、などの問題があった。
【０００６】
本発明の目的は、例えば、配電盤ボックスなどの観音扉を決められた順序で閉鎖するのに適し、ユニット化されていて前記ボックスへの取り付けが容易な観音扉閉鎖順序保障装置を提供することにある。
【０００７】
【課題を解決するための手段】
前記課題を解決するための本発明の前提は、固定枠体で形成された開口部を開閉する一対の扉体からなる観音扉を決められた順序で閉鎖する観音扉閉鎖順序保障装置である。
【０００８】
この前提における本発明の特徴としては、前記保障装置が、前記第１扉体の内面に当接可能であって前記固定枠体内から前記開口部の外へ突出可能な第１先端部を有し、前記第１扉体の前記内面が前記第１先端部に当接したときに前記固定枠体内へ移動可能な第１ロッドと、前記第２扉体の内面に当接可能であって前記固定枠体内から前記開口部の外へ突出可能な第２先端部を有し、前記固定枠体内へ移動可能ではあるが、前記第２扉体の前記内面が前記第２端部に当接しても前記固定枠体内へ移動することのない第２ロッドと、前記第１ロッドと前記第２ロッドとの間に介在しており、前記第１ロッドの前記固定枠体内への移動に連動して前記第２ロッドを前記固定枠体内への移動を可能にする作動部と、前記固定枠体に取り付け可能に形成され、前記第１，２ロッドおよび前記作動部を支持する取付金具とを備えていること、にある。
【０００９】
本発明における実施態様の一例として、前記第１ロッドが、前記取付金具から前記第１扉体の前記内面に直交する方向に対して斜めに延び、前記第２ロッドが、前記取付金具から前記第２扉体の前記内面に対して直交する方向へ延び、前記作動部が、前記第１，２ロッドにおいて前記第１，２先端部とは反対側の端部どうしをつなぎ、前記取付金具に回転可能に支持された支持軸部から構成され、  前記支持軸部は、前記第１扉体の前記内面が前記第１ロッドの前記第１先端部に当接したとき、前記支持軸部を中心として該第１ロッドを旋回させるとともに、前記第２ロッドを前記第２扉体の前記内面に直交する方向から該直交方向に対して斜め方向へ延びる位置に旋回させて前記第２扉体の閉鎖を可能とし、前記第１，２ロッドおよび前記支持軸部の少なくともいずれかは、前記第２ロッドを前記第２扉体の前記内面に対して直交する方向へ延びる元の位置に復帰させるようにバネ付勢されていることを特徴とする。
【００１０】
本発明における実施態様の他の一例として、前記第１，２ロッドが、前記固定枠体内へ出入り可能に支持され、前記作動部が、前記第１ロッドに連動して旋回可能に前記取付金具に取り付けられ、前記第２ロッドと係合離脱して前記第２ロッドを移動又は不動にするカム板から構成され、前記カム板は、前記第１扉体の前記内面が前記第１ロッドに当接して前記固定枠体内へ押し込まれるときに旋回して、前記第２ロッドと離脱して前記第２ロッドを移動可能にして前記第２扉体の閉鎖を可能とし、前記第１，２ロッドは、前記両ロッドの前記各先端部を前記開口部から前記固定枠体の外へ突出させる方向へバネ付勢されていることを特徴とする。
【００１１】
【発明の実施の形態】
添付の図面を参照し、本発明に係る観音扉閉鎖順序保障装置の詳細を説明すると、以下のとおりである。図１は、本発明の一実施形態に係る観音扉閉鎖順序保障装置（以下、保障装置と称する）１を配電盤ボックスに取り付けた状態で示す斜視図であり、図２は、保障装置１０の正面図であり、図３は、保障装置１０の側面図であり、図４は、保障装置１０の取付金具１１を示す分解斜視図である。この保障装置１０は、図１に示すように固定枠体２で形成された開口部３を有する配電盤ボックス１に取り付けて使用される。配電盤ボックス１の固定枠体２には、一対の扉体４ａ，４ｂからなる観音扉５が開口部３を開閉可能に取り付けられている。この例では、観音扉５の閉鎖順序として、一方の扉体４ａが先に閉鎖され、他方の扉体４ｂがその後に閉鎖されるものとし、したがって扉体４ａを優先扉体と称し、扉体４ｂを非優先扉体と称する。
【００１２】
保障装置１０は、配電盤ボックス１の天板２ａ内面に取り付けられる取付金具１１と、取付金具１１に支持されたコ字形の棒状部材１２とを備えている。棒状部材１２は、取付金具１１に回転可能に支持された支持軸部１３ａと、取付金具の両側部において外方へ出た支持軸部１３ａの各端部から該支持軸部１３ａに対してほぼ直角な方向へ延びる起動用の第１ロッド１４および扉体閉鎖阻止用の第２ロッド１５とを備えている。第１，２ロッド１４，１５は、支持軸部１３ａを中心に旋回可能であり、第１ロッド１４の旋回運動は、支持軸部１３ａによって第２ロッド１５に伝達され、該第２ロッド１５を旋回させる。よって、支持軸部１３ａは第１ロッド１４の旋回運動に連動して第２ロッド１５を旋回可能にさせる作動部１３を構成している。
【００１３】
第１，２ロッド１４，１５は、旋回方向への相互の角度が約４５度をなしている。各ロッド１４，１５と支持軸部１３ａとは、例えば金属製の１本の棒状部材１２の一端側を９０度曲げて第１ロッド１４を形成し、他端側を第１ロッド１４に対して支持軸部１３ａを中心とする角度が４５度となる方向へ９０度曲げて第２ロッド１５とすることにより形成することができる。
【００１４】
取付金具１１は、図４に示すようにコ字形をした２つのブラケット１６，１７を組み合わせて構成されている。一方のブラケット１６は、矩形状の基板部１６ａと、その両側部それぞれから該基板部１６ａに対してほぼ直角に立ち上がり、端縁から基板部１６ａへ向かう溝部１６ｃを形成したＵ字型の側板１６ｂとを備えている。各側板１６ｂの溝部１６ｃは、支持軸部１３ａを回転可能に支持し得るようにその直径より僅かに大きい幅寸法で形成されている。各側板１６ｂの端縁には、該側板１６ｂに対してほぼ直角に外側へ張り出した取付板１６ｄが形成され、該取付板１６ｄそれぞれには取付けネジ挿通用の孔１６ｅが形成されている。
【００１５】
他方のブラケット１７は、矩形状の基板部１７ａと、その両側部それぞれから該基板部１７ａに対してほぼ直角に垂下し、端縁から基板部１７ａへ向かう溝部１７ｃを形成した逆Ｕ字型の側板１７ｂとを備えている。各側板１７ｂの溝部１７ｃは、支持軸部１３ａを回転可能に支持し得るようにその直径より僅かに大きい幅寸法で形成されている。ブラケット１７の基板部１７ａにおいて、両側板１７ｂ間へ延びる一方の端縁には、張出部１７ｄが該基板部１７ａの表面と同一面内において外方へ突出して形成されている。この張出部１７ｄは、基板部１７ａとは反対方向へ屈曲した前端部を有し、この前端部の各側部には、側板１７ｂを越えて横方向へ突出した突出片が形成され、一方の突出片は停止部１７ｅとされ、他方はバネ掛け部１７ｆとされている。ブラケット１７における対向する側板１７ｂの外面間寸法は、ブラケット１６における対向する側板１６ｂの内面間寸法にほぼ等しいか、それより若干小さく、ブラケット１６にブラケット１７を重ね合わせたとき、ブラケット１７はブラケット１６の側板１６ｂ間に納まる。
【００１６】
取付金具１１は、ブラケット１７をブラケット１６の側板１６ｂ間に、両者の側板１６ｂ，１７ｂをそれぞれ相対向する方向へ向け、かつ溝部１６ｃ，１７ｃをその幅方向において重なるように収納し、隣接する側板１６ｂ，１７ｂどうしをネジ１８により相互に連結して組み立てられている。棒状部材１２は、２つのブラケット１６，１７を組み立てるときに一緒に取り付けられて取付金具１１に支持される。すなわち、棒状部材１２は、支持軸部１３ａを一方のブラケット１６における両側板１６ｂ間に架け渡すように各溝部１６ｃに配置し、その後他方のブラケット１７を、その側板１７ｂの溝部１７ｃに支持軸部１３ａを入れるようにブラケット１６の側板１６ｂ間に配置して両ブラケット１６，１７を連結することにより支持される。
【００１７】
支持軸部１３ａには、回転規制ピン１９が取り付けられている。回転規制ピン１９は、支持軸部１３ａの周面から径方向内方へ形成されたネジ孔（図示せず）に、回転規制ピン１９の端部に形成されたネジ部を螺合することにより支持軸部１３ａから径方向外方へ突出して取り付けられている。第１ロッド１４の長さ方向中間部には、コイルバネ２０の一端が係止され、その他端は、ブラケット１７のバネ掛け部１７ｆに係止されている。第１ロッド１４には、コイルバネ２０の付勢により旋回力が図３で見て矢印２１方向へ付与され、この旋回力は支持軸部１３ａを中心に第２ロッド１５を旋回させる。第２ロッド１５が矢印２１の方向へ旋回すると、停止部１７ｅに当接して停止する。停止部１７ｅに当接している第２ロッド１５は、取付金具１１における取付板１６ｄの取付面と平行な平面内にある。第２ロッド１５が停止位置にあるとき、第１ロッド１４は、図３に示すように第２ロッド１５に対して一方の旋回方向２１とは反対の方向へ約４５度の角度を付けた位置にある。
【００１８】
この保障装置１０は、第１、２ロッド１４，１５の各先端部１４ａ，１５ａが配電盤ボックス１の開口部３から外へ突出するように固定枠体２に取り付けられる。具体的には、取付金具１１は、図１に示すように各ロッド１４，１５の先端部１４ａ，１５ａが閉鎖時の各扉体４ａ，４ｂそれぞれの内面に当接可能に固定枠体２の開口部３から外へ突出するように天板２ａの内面に取付板１６ｄの取付面を密着させて固定される。そのためには、第１，２ロッド１４，１５間のほぼ二等分位置が、閉鎖時の各扉体４ａ，４ｂにおける近接対峙した側縁部４ｃ，４ｄ間にほぼ一致するように、取付金具１１を天板２ａに固定することが好ましい。取付金具１１が固定枠体２に固定されると、第１ロッド１４は、その先端部１４ａが該開口部３から外へ突出するとともに、優先扉体４ａの内面に直交する方向に対して斜め下方向へ延びる。また、第２ロッド１５は、その先端部１５ａが該開口部３から配電盤ボックス１の外へ突出するとともに、非優先扉体４ｂの内面に対してほぼ直角に当接するようにほぼ水平に延びる。
【００１９】
保障装置１０が取り付けられた配電盤ボックス１では、開状態にある観音扉５の優先扉体４ａが開口部３を閉鎖する状態にまで旋回されると、その内面が第１ロッド１４の先端部１４ａに当接する。第１ロッド１４は、優先扉体４ａの内面に直交する方向に対して斜め下方へ延びているので、優先扉体４ａは、先端部１４ａを配電盤ボックス１内へ押して第１ロッド１４を矢印２２（図３参照）の方向へ旋回させる。第１ロッド１４の旋回により支持軸部１３ａが回転して第２ロッド１５を旋回させ（旋回後の位置を図３に仮想線で示す）、第２ロッド１５を水平方向、言い換えると非優先扉体４ｂの内面に対して垂直方向へ向いた状態から該垂直方向に対して斜め下方向へ向いた状態へ変化させる。
【００２０】
次いで、非優先扉体４ｂが開口部３を閉鎖する状態にまで旋回されると、非優先扉体４ｂの内面が第２ロッド１５の先端部１５ａに当接するが、第２ロッド１５は非優先扉体４ｂの内面に直交する方向に対して斜め下方向へ向いているので、非優先扉体４ｂがその先端部１５ａを押して第２ロッド１５を旋回させることができ、その結果非優先扉体４ｂの閉鎖が可能となる。
【００２１】
もし誤って、非優先扉体４ｂが優先扉体４ａに先立って開口部３を閉鎖する方向へ旋回されたときには、非優先扉体４ｂの内面が、第２ロッド１５の先端部１５ａに当接する。そのときの第２ロッド１５は、水平方向、即ち非優先扉体４ｂの内面に対してほぼ直交する方向へ延びているので、第２ロッド１５に旋回が起こらず、先端部１５ａが固定枠体２内へ移動（回避）することはない。ゆえに非優先扉体４ｂの閉鎖が阻止される。
【００２２】
配電盤ボックス１の固定枠体２に固定された保障装置１０の第１，２ロッド１４，１５が人為的に図３に符号２２で示す方向へ旋回させられた場合には、支持軸部１３ａに取り付けられた回転規制ピン１９が該支持軸部１３ａの回転に伴って旋回し、その先端部が取付金具１１におけるブラケット１６の基板部１６ａに当接して支持軸部１３ａの回転を規制し、第１，２ロッド１４，１５の旋回運動を所定の範囲で停止させる。その所定範囲は、約９０度に設定されている。すなわち、第１，２ロッド１４，１５が人為的に矢印２２の方向へ旋回させられたとき、図３に実線で示す位置から約９０度までの旋回で停止すれば、第１，２ロッド１４，１５への旋回力を解除すると、第１，２ロッド１４，１５は、バネ付勢力により元の位置に速やかに復帰する。
【００２３】
この実施形態に係る保障装置１０では、第１，２ロッド１４，１５が、１本の棒状部材１２を曲げるだけで形成でき、この棒状部材１２を取付金具１１に支持することで構成することができる。この保障装置１０を固定枠体２に固定して使用するとき、優先扉体４ａによって第１ロッド１４が旋回されない限り、第２ロッド１５の旋回が起こらない。そのため、構成が非常に単純であり、保障装置自体の組み立てが容易であるとともに、全ての部品が取付金具１１に支持されてユニット化されているので、例えば配電盤ボックスなどへの取り付けも非常に容易である。
【００２４】
図５は、他の実施形態に係る保障装置３０を示す正面図であり、図６は、図５のＶＩ−ＶＩ線で切断して示す保障装置３０の断面図である。保障装置３０は、箱状の取付金具３１と、その内部において移動可能に支持された起動用の第１ロッド３４および扉体閉鎖阻止用の第２ロッド３５とを備えている。取付金具３１の内部には、２つの筒状部３２ａ，３２ｂが平行に配置され、該取付金具３１に固定されている。第１，２ロッド３４，３５は、各筒状部３２ａ，３２ｂ内を前進方向（図６に矢印Ｙ１で示す方向）と後退方向（図６に矢印Ｙ２で示す方向）とへ摺動可能に配置されている。第１，２ロッド３４，３５それぞれの前端部３４ａ，３５ｂは、取付金具３１の各開口部３３ａ，３３ｂから突出している。各筒状部３２ａ，３２ｂ内において、第１，２ロッド３４，３５の後端部と取付金具３１の端板３１ａとの間には、コイルバネ３６ａ、３６ｂが配置され、第１，２ロッド３４，３５を、それら前端部３４ａ，３５ｂが取付金具３１から突出する前進方向へ付勢している。
【００２５】
取付金具３１の内部において、第１ロッド３４の前進、後退により第２ロッド３５の動きを規制し又その規制を解除する作動部として、カム板３７が、第１，２ロッド３４，３５間において、両ロッド３４，３５の配置平面内を旋回可能に軸３８により取付金具３１に支持されている。カム板３７は、軸３８から第１ロッド３４の前端部３４ａへ向かう方向であって、取付金具３１内で第１ロッド３４と交差する方向へ延びるアーム部３７ａと、軸３８から第２ロッド３５の前端部３５ａへ向かう方向であって、取付金具３１内で第２ロッド３５と交差する方向へ延びる爪部３７ｂとを備えている。アーム部３７ａは、枢軸３８の位置から先端へ向かって次第にその幅寸法を小さくし、先端部には長孔３７ｃが形成されている。長孔３７ｃの長手方向中心線３７ｄは軸３８の中心を通る。
【００２６】
第１ロッド３４には、その周面から中心部を通って径方向へ貫通するスリット３４ｂが形成されている。カム板３７におけるアーム部３７ａの先端部は、筒状部３２ａの切り欠きを通って第１ロッド３４のスリット３４ｂに摺動可能に挿入されている。第１ロッド３４のスリット３４ｂに挿入されたアーム部３７ａの先端部は、それが移動する面に直交する方向において第１ロッド３４に形成された貫通孔に長孔３７ｃ内を通すように嵌め込まれたピン３９により第１ロッド３４に連結されている。第２ロッド３５の周面には、凹部３５ｂが形成され、この凹部３５ｂにはカム板３７の爪部３７ｂが筒状部３２ｂの切り欠きを通って係脱可能に挿入されている。カム板３７の爪部３７ｂと第２ロッドの凹部３５ｂとの係脱は、カム板３７の旋回により生じる。
【００２７】
第１，２ロッド３４，３５の長さ方向に沿う取付金具３１の対向する側壁それぞれには、Ｌ字状の取付脚４０がネジ止めされ、各取付脚４０は、第１，２ロッド３４，３５が配置されている平面と平行な取付面４０ａを有する。各取付脚４０の取付面４０ａには、取り付け用のネジ挿通長孔４０ｂが形成されている。
【００２８】
この保障装置３０は、図１に示す保障装置１０と同様に配電盤ボックス１の天板２ａ内面に各取付脚４０の取付面４０ａを密着させて固定される。この例における保障装置３０では、特に、第１、２ロッド３４，３５が閉鎖時の各扉体４ａ，４ｂそれぞれの内面に対してほぼ直交する方向へ延び、それら前端部３４ａ，３５ａが各扉体４ａ，４ｂの内面に当接可能に天板２ａに固定される。
【００２９】
保障装置３０が取り付けられた配電盤ボックス１では、開状態にある観音扉５の優先扉体４ａが開口部３を閉鎖する状態にまで旋回されると、その内面が保障装置３０の第１ロッド３４の前端部３４ａに当接して押圧し、第１ロッド３４をバネ３６ａの付勢力に抗して後退させて取付金具３１内へ押し込む。第１ロッド３４が後退すると、ピン３９が、カム板３７のアーム部３７ａの長孔３７ｃ内を移動しながらアーム部３７ａを図６の仮想線で示す位置まで反時計方向へ旋回させる。その結果、爪部３７ｂが反時計方向へ旋回して第２ロッド３５の凹部３５ｂから離脱し、第１ロッド３５の後退を可能にする。
【００３０】
次いで、非優先扉体４ｂが開口部３を閉鎖する状態にまで旋回されると、その内面が第２ロッド３５の前端部３５ａに当接するが、第２ロッド３５は、カム板３７の爪部３７ｂが凹部３５ｂから離脱して後退可能になっているので、非優先扉体４ｂが第２ロッド３５をバネ３６ｂの付勢力に抗して後退させて取付金具３１内へ押し込み、非優先扉体４ｂが閉鎖される。
【００３１】
観音扉５が閉鎖状態から開かれると、第１，２ロッド３４，３５は、それぞれコイルバネ３６ａ，３６ｂの付勢力により前進し、それら先端部３４ａ，３５ａが、閉鎖時の各扉体４ａ，４ｂの各内面に当接可能に開口部３から突出する。第１ロッド３４が前進すると、それに伴ってカム板３７のアーム部３７ａが時計方向へ旋回し、同時に爪部３７ｂは反時計方向へ旋回し、アーム部３７ａと爪部３７ｂとが図６に実線で示す位置に戻り、爪部３７ｂは前進した第２ロッド３５の凹部３５ｂに係合する。なお、第１，２ロッド３４，３５の各先端部３４ａ，３５ａが閉鎖時の各扉体４ａ，４ｂの各内面に当接可能に開口部３から突出するように第１，２ロッド３４，３５が各コイルバネ３６ａ，３６ｂにより前進するとき、後退位置から前進位置までの移動長さは、各ロッド３４，３５の後端部に取り付けられたピン４１が移動可能に嵌合している筒状部３２ａ，３２ｂの長孔４２の長さ寸法によって決められている。
【００３２】
もし誤って、非優先扉体４ｂが優先扉体４ａに先立って閉鎖方向へ旋回されたときには、非優先扉体４ｂの内面が、第２ロッド３５の先端部３５ａに当接する。そのときの第２ロッド３５は、カム板３７の爪部３７ｂが凹部３５ｂに係合しているため、カム板３７を時計方向へ旋回させようとするが、アーム部３７は、前進方向への移動が規制されている第１ロッド３４に連結されていて旋回不能であるので、第２ロッド３５の後退が起こらず、先端部３５ａがストッパーとなって非優先扉体４ｂの閉鎖が阻止される。
【００３３】
この保障装置３０は、２本のロッド３４，３５を取付金具３１内で前後動可能に支持し、一方のロッド３４が取付金具３１内へ押し込まれない限り、他方のロッド３５が移動することがないように取付金具３１内に設けたカム板３７で動作させるように構成されている。そのため、全ての部品が取付金具３１に納められてユニット化されているので、例えば配電盤ボックスなどへの取り付けも非常に容易である。
【００３４】
図示例の保障装置１０，３０では、配電盤ボックス１の内面に固定して使用するものとして説明されているが、本発明は配電盤ボックスに限定されるものではなく、観音扉を備えるコンテナ等、種々の収納ボックスに取り付けて該観音扉の閉鎖順序を決めることができる。
【００３５】
【発明の効果】
本発明に係る保障装置によれば、起動用の第１ロッドと扉体閉鎖阻止用の第２ロッドとを、第１ロッドが第１扉体によって移動しない限り、第２ロッドが移動しないように取付金具に支持して構成されているので、ユニット化でき、その結果、例えば配電盤ボックスなどへの取り付けも非常に容易である。
【図面の簡単な説明】
【図１】観音扉閉鎖順序保障装置を取り付けた配電盤ボックスを概略的に示す斜視図。
【図２】第１実施形態に係る観音扉閉鎖順序保障装置の正面図。
【図３】図２に示す観音扉閉鎖順序保障装置の側面図。
【図４】図２に示す観音扉閉鎖順序保障装置における取付金具の分解斜視図。
【図５】第２実施形態に係る観音扉閉鎖順序保障装置の正面図。
【図６】図５のＶＩ−ＶＩ線で切断して示す観音扉閉鎖順序保障装置の断面図。
【符号の説明】
１  配電盤ボックス
２  固定枠体
２ａ  天板
３  開口部
４ａ，４ｂ  扉体（第１，２扉体）
４ｃ，４ｄ  扉体の側縁
５  観音扉
１０，３０  観音扉閉鎖順序保障装置
１１，３１  取付金具
１２  棒状部材
１３  作動部
１３ａ  支持軸部（作動部）
１４，３４  第１ロッド
１４ａ  先端部（第１先端部）
１５，３５  第２ロッド
１５ａ  先端部（第２先端部）
３４ａ  前端部（第１先端部）
３５ａ  前端部（第２先端部）
３７  カム板（作動部）
３７ａ  アーム部
３７ｂ  爪部
【図１】
2004176496.tif 000003
【図２】
2004176496.tif 000004
【図３】
2004176496.tif 000005
【図４】
2004176496.tif 000006
【図５】
2004176496.tif 000007
【図６】
2004176496.tif 000008